(57)【要約】      （修正有）【課題】  装置を大型化することなく、発生のノイズを抑える電気部品とシャーシ構成を提供する。また、電気部品のインクミストの付着を最小限に抑える電気部品の構成を提供する。【解決手段】  キャリッジモータ１８と搬送モータ１９とメイン制御基板１７とを記録装置１０の片側に、さらにメイン制御基板１７はシャーシ１４のキャリッジモータ取付面側でかつ、シャーシ１４のキャリッジモータ取付面の法線方向に対して、法線方向に進むに従いキャリッジモータ１８に近づくよう、ある傾きをもって配置することで、発生ノイズを最小限に抑え、また、キャリッジモータ１８と搬送モータ１９とメイン制御基板１７とを、記録媒体を搬送する搬送部１５を挟み、記録ヘッド１２を最適な状態に保つためのメインテナンス部１６と反対側に配置することで、電気部品のインクミストの付着を最小限に抑える。【選択図】        図１
2006347059.tif 000002
【特許請求の範囲】
【請求項１】
記録ヘッドを保持するキャリッジを摺動可能に保持するシャーシと、前記キャリッジを駆動させる前記シャーシに固定されるキャリッジモータと、記録媒体を搬送させる搬送ローラを駆動させる搬送モータと、前記キャリッジモータと前記搬送モータを制御するメイン制御基板と、を備え、このメイン制御基板からの指令に基づいて前記記録媒体に記録を行うためのインクジェット記録装置であって、前記キャリッジモータと前記搬送モータと前記メイン制御基板とを記録装置の片側に、さらに前記メイン制御基板は前記シャーシのキャリッジモータ取付面側でかつ、シャーシのキャリッジモータ取付面の法線方向に対して、法線方向に進むに従いキャリッジモータに近づくよう、ある傾きをもって配置されていることを特徴とするインクジェット記録装置。
【請求項２】
前記搬送モータを固定する搬送シャーシと、前記メイン制御基板を固定する基板固定シャーシとが、前記シャーシを介して電気接続されていることを特徴とする請求項１に記載のインクジェット記録装置。
【請求項３】
前記キャリッジモータと、前記メイン制御基板の間に前記基板固定シャーシを配置することを特徴する請求項２に記載のインクジェット記録装置。
【請求項４】
前記搬送モータと、前記メイン制御基板の間に前記基板固定シャーシを配置することを特徴する請求項２または３に記載のインクジェット記録装置。
【請求項５】
前記キャリッジモータと、前記搬送モータと、前記メイン制御基板とを、前記記録媒体を搬送する搬送部を挟み、前記記録ヘッドを最適な状態に保つためのメインテナンス部と反対側に配置することを特徴する請求項１ないし４のいずれかに記載のインクジェット記録装置。
【発明の詳細な説明】
【技術分野】
【０００１】
本発明は、インクジェット記録装置に関し、記録装置を大きくすることなく、特に電気接続用ケーブルを短尺化することで電磁ノイズを低減し、かつ電気部品へのインクミストの付着を極力少なくするためのインクジェット記録装置の構成に関する。
【背景技術】
【０００２】
インクジェット式記録ヘッドを搭載した記録装置は、記録時の騒音が比較的小さく、しかも小さなドットを高密度で形成できるため、カラー記録を含めた多くの記録に使用され、特に記録密度の一層の向上や、またより精細なカラー記録を可能にするため、キャリッジにブラックインク用記録ヘッドとカラーインク用記録ヘッドとを着脱可能に固定したもの、若しくはブラックインク用記録ヘッドとカラーインク用記録ヘッドが一体で構成された記録ヘッドを着脱可能に固定したものが実用化されている。
【０００３】
これら記録装置において、記録ヘッド及び記録媒体を搬送する搬送機構を備えた機構部と、機構部を制御するためのメイン制御基板と、機構部とメイン制御基板とに電力を供給する電源回路基板を備え、メイン制御基板と電源回路基板とを機構部の両側に、ケースの底面に対して垂直となるよう配置したものがある。
【特許文献１】特許第３０６７９０８号公報
【発明の開示】
【発明が解決しようとする課題】
【０００４】
上述した記録装置はメイン制御基板と電源回路基板の関係のみであり、その他電気部品であるモータに関しては特に言及されていない。
【０００５】
近年、インクジェット記録装置の性能は格段に進歩し、記録処理速度が高速になり、その結果、発生するノイズ対策に要する時間と費用も従来とは比較にならなくなってきており、コストを抑えて、ノイズが発生し難い構成にすることが急務となってきている。
【０００６】
さらに、記録品位の格段の向上に伴う、インクの小液滴化と縁なし記録に伴うインクミストの増加に起因する、電気部品のインクミストの付着を少なくすることも必要である。
【０００７】
本発明の目的は、記録装置を大きくすることなく、発生ノイズを低減させる電気部品とシャーシ構成、及び電気部品のインクミストの付着を最小限に抑える電気部品の構成を備えたインクジェット記録装置を提供することにある。
【課題を解決するための手段】
【０００８】
上述のような問題を解消するため、本発明の請求項１においては、記録ヘッドを保持するキャリッジを摺動可能に保持するシャーシと、前記キャリッジを駆動させる前記シャーシに固定されるキャリッジモータと、記録媒体を搬送させる搬送ローラを駆動させる搬送モータと、前記キャリッジモータと前記搬送モータを制御するメイン制御基板と、を備え、このメイン制御基板からの指令に基づいて前記記録媒体に記録を行うための記録装置であって、前記キャリッジモータと前記搬送モータと前記メイン制御基板とを記録装置の片側に、さらに前記メイン制御基板は前記シャーシのキャリッジモータ取付面側でかつ、シャーシのキャリッジモータ取付面の法線方向に対して、法線方向に進むに従いキャリッジモータに近づくよう、ある傾きをもって配置することで、記録装置のサイズを大きくすることなくメイン制御基板の電気部品実装高さを確保し、電気部品とメイン制御基板の電気接続ケーブルを短尺化し、発生ノイズを低減させる。
【０００９】
請求項２においては、搬送モータを固定する搬送シャーシと、メイン制御基板を固定する基板固定シャーシとが、シャーシを介して電気接続することで、シャーシ間のグランドレベルを同一にして、その結果、発生ノイズを低減させる。
【００１０】
請求項３においては、キャリッジモータと、メイン制御基板の間に基板固定シャーシを配置することで、キャリッジモータから発生するノイズによるメイン制御基板に対する影響を少なくする。
【００１１】
請求項４においては、搬送モータと、メイン制御基板の間に基板固定シャーシを配置することで、搬送モータから発生するノイズによるメイン制御基板に対する影響を少なくする。
【００１２】
請求項５においては、キャリッジモータと、搬送モータと、メイン制御基板とを、記録媒体を搬送する搬送部を挟み、記録ヘッドを最適な状態に保つためのメインテナンス部と反対側に配置することで、電気部品のインクミストの付着を最小限に抑える。
【発明の効果】
【００１３】
本発明によれば、インクジェット記録装置を大きくすることなく、発生ノイズを低減させる電気部品とシャーシ構成、及び電気部品のインクミストの付着を最小限に抑える電気部品の構成を備えたインクジェット記録装置を提供することができる。
【発明を実施するための最良の形態】
【００１４】
以下図面を参照しながら、本発明の実施の形態について詳細に説明する。
【実施例】
【００１５】
図１は本発明の第１の実施の形態によるインクジェット記録装置の構成を示す平面図である。
【００１６】
図１において、インクジェット記録装置１０は、図示しないパーソナルコンピュータなどのホストコンピュータに接続され、このホストコンピュータからの記録データを受信して記録を行うホストコンピュータの外部出力装置として機能する。
【００１７】
１１は記録ヘッド１２を保持するキャリッジ１３を摺動可能に保持するシャーシ１４、記録媒体を搬送する搬送部１５、記録ヘッド１２を最適な状態に保つインク吸引手段である不図示のポンプを含むメインテナンス部１６を保持しているベースである。
【００１８】
ここで、記録ヘッド１２は、キャリッジ１３に対して２つ固定されている。一方はカラー記録ヘッドで、多方は顔料インクを用いるブラック記録ヘッドである。また、一方がカラー記録ヘッドで、他方がフォト記録ヘッドであってもよい。ここでのカラー記録ヘッドは染料インクとしてシアン、マゼンタ、イエローを使用し、フォト記録ヘッドには染料インクとして薄いシアン、薄いマゼンタ、ブラックを使用するものである。
【００１９】
メインテナンス部１６が記録装置１０の右側に配置されている。
【００２０】
また、記録装置１０の左側後方には記録動作を制御するメイン制御基板１７、キャリッジ１３を駆動させるキャリッジモータ１８が配置されている。
【００２１】
メイン制御基板１７とキャリッジモータ１８、図２にて後述する搬送モータ１９は、搬送部１５を挟みメインテナンス部１６の反対側に配置されている。
【００２２】
このため、メインテナンス部１６や搬送部１５において発生するインクミストの影響を受け難い配置となっており、電気部品のインクミストの付着を最小限に抑えることが可能となる。これにより電気部品の信頼性がより向上する。
【００２３】
メイン制御基板１７はシャーシ１４のキャリッジモータ１８を取り付ける取付面側で、シャーシ１４のキャリッジモータ取付面の法線方向（図１の矢印Ｙ）に対して、法線方向（装置後方）に進むに従いキャリッジモータ１８に近づくよう配置されている。
【００２４】
これにより、記録装置１０の背面側に進むに従い、メイン制御基板１７の電気部品実装高さは増え、例えば電解コンデンサのように高い部品を記録装置１０の背面側に配置することが可能となり、記録装置１０のサイズを大きくすることなく、メイン制御基板１７の電気部品実装高さを確保することが可能となる。
【００２５】
図２は電気部品の配置を示す、記録装置１０の左側面後方から見た部分斜視図である。
【００２６】
ここで電気部品の配置をより判りやすくするため、図１の構成から下ケース１１をなくしている。
【００２７】
記録媒体を搬送させる搬送ローラ２０を、ベルト２１を介して駆動させる搬送モータ１９は搬送シャーシ２２に固定されている。
【００２８】
図２に示されるよう、搬送モータ１９は記録装置１０のサイズを大きくすることなく、キャリッジモータ１８の下方で、メイン制御基板１７に近接して配置されている。
【００２９】
搬送シャーシ２２はシャーシ１４の側面部と接しており、これにより電気接続され、シャーシ１４と搬送シャーシ２２のグランドレベルはほぼ同一となる。これにより発生ノイズを低減させる。
【００３０】
メイン制御基板１７を固定保持する基板固定シャーシ２３はメイン制御基板１７と並行で、かつ、キャリッジモータ１８、搬送モータ１９とメイン制御基板１７の間に配置されており、これによりキャリッジモータ１８、搬送モータ１９から発生するノイズによるメイン制御基板１７に対する影響を少なくしている。
【００３１】
基板固定シャーシ２３はシャーシ１４のキャリッジモータ取付面と同一の面で接しており、これにより電気接続され、シャーシ１４と基板固定シャーシ２３のグランドレベルはほぼ同一となる。これにより発生ノイズを低減させる。
【００３２】
メイン制御基板１７にはＡＳＩＣ（専用ＬＳＩ）と、内部にＣＰＵを有して各種制御処理、輝度信号（ＲＧＢ）から濃度信号（ＣＭＹＫ）への変換、スケーリング、ガンマ変換、誤差拡散などの画像処理の一部若しくは全部を行うＤＳＰ（デジタル信号処理プロセッサ）と、このＤＳＰのＣＰＵ制御プログラムを記憶するプログラムメモリ、実行時のプログラムを記憶するＲＡＭエリア、画像データなどを記憶するワークメモリとして機能するメモリエリアを持つメモリと、複数のインクを用いてカラー画像を記録するインクジェット記録装置１０用のプリンタエンジンとが搭載されている。
【００３３】
これらにより、メイン制御基板１７は、インクジェット記録装置１０自体の動作制御など、主たる電気的な処理や制御を司っている。  
【００３４】
このように、メイン制御基板１７をキャリッジモータ１８と搬送モータ１９の近くで、シャーシ１４の記録装置後方に配置することで、メイン制御基板１７とキャリッジモータ１８、メイン制御基板１７と搬送モータ１９とを接続する接続ケーブルの長さを短尺化させて、電気ノイズの混入または発生の回避ならびに記録装置の動作の高速化を企図することができる。
【図面の簡単な説明】
【００３５】
【図１】本発明の実施の形態によるインクジェット記録装置の構成を示す斜視図
【図２】記録装置の左側後方から見た部分斜視図
【符号の説明】
【００３６】
１０  インクジェット記録装置
１１  下ケース、ベース
１２  記録ヘッド
１３  キャリッジ
１４  シャーシ
１５  搬送部
１６  メインテナンス部
１７  メイン制御基板
１８  キャリッジモータ
１９  搬送モータ
２０  搬送ローラ
２１  ベルト
２２  搬送シャーシ
２３  基板固定シャーシ
【図１】
2006347059.tif 000003
【図２】
2006347059.tif 000004